(57)【要約】【課題】強風などで煽られた場合でも、横棒がのぼり生地から抜け出ることなく、のぼりとしての機能を確実に発揮でき、また、のぼりの製造や組み立て作業が煩雑とならないのぼりの提供を目的とする。【解決手段】支柱２０と横棒３０によって支持されるのぼり１であって、のぼり１が伸縮自在なのぼり生地１０で形成され、のぼり生地１０の上辺に横棒３０を挿通するための重ね部１２を形成し、この重ね部１２の両端に形成された開口部１２１の少なくとも一端側の開口部１２１の大きさを、横棒３０の縦断面部の長さの二倍以上に形成し、さらに、この開口部１２１近傍の一部に、横棒３０の抜け止め及び上下左右への移動を阻止するための係止部１２２を形成する構成としてある。【選択図】      図１
0003164423.tif 000002
【実用新案登録請求の範囲】
【請求項１】
支柱と横棒によって支持されるのぼりであって、
前記のぼりが伸縮自在なのぼり生地で形成され、当該のぼり生地の上辺に前記横棒を挿通するための重ね部を形成し、
この重ね部の両端に形成された開口部の少なくとも一端側の開口部の大きさを、前記横棒の縦断面部の長さの二倍以上に形成し、さらに、この開口部近傍の一部に、前記横棒の抜け止め及び上下左右への移動を阻止するための係止部を形成することを特徴とするのぼり。
【請求項２】
前記係止部が、前記開口部の径方向の一部を塞ぐ縦閉鎖部と、前記開口部の奥行方向の一部を塞ぐ横閉鎖部とからなる請求項１記載ののぼり。
【請求項３】
前記係止部の縦閉鎖部と横閉鎖部が連続してほぼＬ字状に形成されている請求項２記載ののぼり。
【請求項４】
前記のぼりが、前記支柱の両側にのぼり生地を設けたダブルのぼりであって、前記重ね部の両端の開口部近傍に前記係止部を形成してある請求項１〜３のいずれか一項に記載ののぼり。
【請求項５】
前記のぼりが、前記支柱の両側にのぼり生地を設けたダブルのぼりであって、前記重ね部の一端の開口部近傍に前記係止部を形成してあり、他端の開口部は縦方向に塞がれている請求項１〜３のいずれか一項に記載ののぼり。
【請求項６】
前記のぼりが、前記支柱の片側にのぼり生地を設けたシングルのぼりであって、前記重ね部の前記支柱と反対側に位置する開口部近傍に前記係止部が形成してある請求項１〜３のいずれか一項に記載ののぼり。
【請求項７】
前記のぼりが縫製によって形成されており、前記係止部における前記開口部の径方向の一部を塞ぐ縦閉鎖部と前記開口部の奥行方向の一部を塞ぐ横閉鎖部の縫い目が、他の部分の縫い目より細かいミシン目によって縫製されている請求項１〜６のいずれか一項に記載ののぼり。
【考案の詳細な説明】
【技術分野】
【０００１】
本考案は、店舗、商品等の広告・宣伝などに用いられるのぼりに関する。
【背景技術】
【０００２】
従来、店舗前や街頭等に設置されて、通行人や顧客等の視覚に訴えるための手段としてのぼりが使用されている。こののぼりは、例えば、布地などから細長矩形に形成された旗（のぼり生地）と、この旗を支持する棒部材（支柱、横棒）とから構成されている。そして、旗の表面には、店舗名称、商品名称、広告・宣伝文句等が、印刷や刺繍等によって施されており、旗の表面が広げられた状態で維持されて、宣伝内容が通行人などに見やすく向けられるようになっている。
【０００３】
上記のようなのぼりにおいては、宣伝内容を通行人などに見やすくさせるため、旗の表面の表示状態を安定させる必要がある。すなわち、のぼりの表示態様を維持することが重要となる。このため、従来から、のぼりの表示態様を維持するための様々な技術が開発されてきた。
例えば、特許文献１には、旗本体の一方の側縁部と上縁部に対し、所定の間隔ごとに「ちち」と呼ばれる輪状に形成された部材を縫製し、側縁部のちちには旗竿を挿通し、上縁部のちちには吊棒を挿通することで表示態様を維持する幟旗が提案されている。
また、特許文献２には、ちちを用いずに、のぼり本体の長手方向の一辺及び幅方向の上辺に旗竿通し穴部を溶断加工によって配設し、長手方向の旗竿通し穴部に縦竿を挿入し、幅方向の旗竿通し穴部に横竿を挿入することで表示態様を維持する幟が提案されている。
【先行技術文献】
【特許文献】
【０００４】
【特許文献１】特許第３２６９７９５号公報
【特許文献２】特開２００１−５４１８号公報
【考案の概要】
【考案が解決しようとする課題】
【０００５】
しかしながら、特許文献１に記載の技術では、旗竿や吊棒に対して複数個所にちちが設けられ、これら全てのちちが縫製されて旗本体と一体的に取付けられるため、幟及びちちの製造工程が増えるとともに、製造コストが高くなるという問題があった。
さらに、強風で幟本体が煽られると、幟本体に取付けられる輪状のちちが移動して、幟本体が一方に寄せられて幟としての機能を失うことがあり、また、ちちと旗竿との摩擦によってちちが磨耗して破損し、横竿がちちから抜け出てしまうという問題もあった。
【０００６】
また、特許文献２に記載の技術は、幟本体から「ちち」を除去することによって、幟の製造を容易にしているが、強風に煽られると横軸に沿って幟本体が一方に寄ってしまい、幟の体裁が失われて幟としての機能が失われるという問題があった。
さらに、幟本体に形成された複数の旗竿通し穴部に、支柱及び横竿を挿通する作業が煩雑であり、例えば、異なる広告・宣伝用の旗に取り替える場合には労力と時間とが必要となる問題があった。
【０００７】
本考案は、上記のような従来の技術が有する問題を解決するために提案されたものであり、強風などで煽られた場合でも、幟本体が一方に寄ってしまったり、横棒が抜け出てしまったりすることがなく、のぼりとしての機能を確実に発揮でき、また、製造の手間や組み立て作業が煩雑とならないのぼりの提供を目的とする。
【課題を解決するための手段】
【０００８】
上記目的を達成するため、本考案ののぼりは、支柱と横棒によって支持されるのぼりであって、のぼりが伸縮自在なのぼり生地で形成され、当該のぼり生地の上辺に横棒を挿通するための重ね部を形成し、この重ね部の両端に形成された開口部の少なくとも一端側の開口部の大きさを、横棒の縦断面部の長さの二倍以上に形成し、さらに、この開口部近傍の一部に、横棒の抜け止め及び上下左右への移動を阻止するための係止部を形成する構成としてある。
【考案の効果】
【０００９】
本考案ののぼりによれば、旗本体（のぼり生地）からの横棒の抜けを防止することができる。また、のぼり生地が一方に寄ってしまうことなく、のぼりの表示態様を維持するための特殊な部材を必要とせず、構造を簡単にし、さらに、のぼりの製造及び組み立て作業を容易にすることができる。
【図面の簡単な説明】
【００１０】
【図１】本考案の第一実施形態に係るのぼりの全体正面図である。
【図２】図１における支柱挿通部のＡ−Ａ断面図である。
【図３】図１における重ね部のＢ−Ｂ断面図である。
【図４】本考案の第一実施形態に係るのぼりの係止部の構成及び作用を示す説明図である。
【図５】本考案の第一実施形態に係るのぼりの支柱と横棒の取付け構造を示す説明図であり、（ａ）は支柱の頭部を別体とし着脱可能とした例を示し、（ｂ）は支柱が頭部まで一体化とした例を示している。
【図６】本考案の第一実施形態に係るのぼりの組み立て例を示す説明図である。
【図７】本考案の第一実施形態に係るのぼりの係止部の他の例を示す説明図であり、（ａ）は縦閉鎖部を一部のみ形成した例を示し、（ｂ）は横閉鎖部を一部のみ形成した例を示している。
【図８】本考案の第二実施形態に係るのぼりの一部正面図を示す説明図である。
【図９】本考案の第三実施形態に係るのぼりの一部正面図を示す説明図である。
【図１０】本考案におけるのぼり（シングルのぼり）の全体正面図である。
【考案を実施するための形態】
【００１１】
以下、本考案に係るのぼりの好ましい実施形態について、図１〜図１０を参照しつつ説明する。
［第一実施形態］
本考案に係るのぼりの第一実施形態について、図１〜図７を参照して説明する。
図１は、本考案の第一実施形態に係るのぼりの全体正面図である。図２は、図１における支柱挿通部のＡ−Ａ断面図である。図３は、図１における重ね部のＢ−Ｂ断面図である。
【００１２】
図１に示すように、本実施形態におけるのぼり１は、主に、のぼりの本体部分となるのぼり生地１０、こののぼり生地１０を支持するための棒状の支柱２０、この支柱２０とＴ字状に交差し、のぼり生地１０を開いた状態で保持する横棒３０から構成されている。
また、のぼり１は、長方形状であり、上端部及び下端部が短辺となり、側縁部が長辺となっている。なお、本実施形態におけるのぼり１は、のぼり生地１０を支柱２０の両側に設けた「ダブルのぼり」であって、例えば、幅（上端部及び下端部）が約８５０ｍｍ、高さ（側縁部）が約１８００ｍｍに形成されている。
以下、本考案の第一実施形態におけるのぼり１の詳細について説明する。
【００１３】
のぼり生地１０は、のぼり１の本体部分であり、片面又は両面に、図示しない広告・宣伝用の文字・絵・写真等が印刷や刺繍等によって描かれている。
また、本実施形態に係るのぼり生地１０は、伸縮自在な布地からなり、各辺を縫製することによって縦長矩形状としてある。具体的には、図１に示すように、両方の長辺と下端部の短辺は、所定の幅で三枚重ねになるように内側方向に折り畳まれ三つ折り縫製してある（三つ折り部１３、１４）。すなわち、折り畳まれた布の内側の位置で縫製（縫い目１３１、１４１）され、のぼり生地１０の全体が矩形状に形成されることになる。このように、三つ折りに縫製して、のぼり１が風に煽られたりしても、周囲部分がほつれないように補強してある。なお、折り返しは三つ折りに限定されるものではなく、布の厚さ、材質によって二つ折りあるいは四つ折り以上としてもよい。
【００１４】
また、のぼり生地１０は、支柱２０を挿通する支柱挿通部１１、横棒３０を挿通する重ね部１２を有している。
支柱挿通部１１は、支柱２０が挿通可能な筒状に形成されており、のぼり１の中央において垂直方向に形成されている。例えば、図２に示すように、支柱挿通部１１は、所定の布地を、のぼり生地１０と重ねて、縫い目１１１の位置で袋状に縫製することで形成されている。このように、支柱挿通部１１を形成した場合には、のぼり生地１０が支柱２０の垂直方向に捲り上がるのを防ぐことができる。
【００１５】
重ね部１２は、横棒３０が挿通可能な筒状に形成されており、のぼり１の上部において水平方向に形成されている。例えば、図３に示すように、重ね部１２は、長辺が三つ折りに縫製されたのぼり生地１０の上辺側を折り返した位置で縫製（縫い目１２３）されて形成されている。
また、重ね部１２には、重ね部１２の両側に形成された開口部１２１、この開口部１２１の近傍に係止部１２２が形成されている。
開口部１２１は、その大きさが横棒３０の縦断面部の長さの二倍以上を有するように形成されている。この縦断面部の長さとは、横棒３０の断面が矩形の場合は長辺の長さを示し、横棒３０の断面が円形の場合は直径を示している。
係止部１２２は、開口部１２１の近傍に、横棒３０の抜け止め及び上下左右への移動を阻止するように形成されている。具体的には、係止部１２２は、縦閉鎖部１２２ａと、横閉鎖部１２２ｂとから構成されている。
【００１６】
本実施形態における係止部１２２は、図４に示すように、開口部１２１の径方向の一部を塞ぐ縦閉鎖部１２２ａと、開口部１２の奥行方向の一部を塞ぐ横閉鎖部１２２ｂとからなっている。
これら縦閉鎖部１２２ａと横閉鎖部１２２ｂは、のぼり生地１０の長辺が三つ折り縫製によって形成された三つ折り部１３上に縫製されて形成されている。このように、部厚く形成された三つ折りの部分に縦閉鎖部１２２ａと横閉鎖部１２２ｂを形成することで、係止部１３の強度を増すことができる。
さらに、縦閉鎖部１２２ａと横閉鎖部１２２ｂは、細かいミシン目によって縫製されている。すなわち、ミシン目を細かくすることによって、係止部１２２の強度を増すことができる。その結果、のぼり１が強風によって煽られても係止部１２２がほつれ難くなるため、横棒３０がのぼり生地１０（係止部１２２）から抜け出ることを防止することができる。
【００１７】
また、図４に示すように、縦閉鎖部１２２ａと横閉鎖部１２２ｂは、連続してほぼＬ字状に形成してある。そして、このＬ字で囲まれた空間に横棒３０の端部が係止される。
具体的には、縦閉鎖部１２２ａは、開口部１２１の両端に、横棒３０の長さに応じた間隔で形成されている。この、縦閉鎖部１２２ａの寸法は、横棒３０の寸法よりやや大きめとしてある。その結果、横棒３０が係止されたときには、水平方向に対して横棒３０との間に「あそび」ができないようになっている。
横閉鎖部１２２ｂは、縦閉鎖部１２２ａの下端から、開口部１２１の奥行方向に形成されている。その結果、垂直方向に対して横棒３０との間に「あそび」ができないようになっている。ここで、縦閉鎖部１２２ａと横閉鎖部１２２ｂの寸法は、例えば、縦閉鎖部１２２ａが約２０ｍｍ強、横閉鎖部１２２ｂが約５ｍｍに形成されている。
このように、横棒３０は、係止部１２２によって、水平方向及び垂直方向に支持される。その結果、横棒３０ののぼり生地１０からの抜け止めや上下左右への移動を阻止することができる。
【００１８】
また、図１に示すように、のぼり生地１０の上辺には、切込み１２４が設けてあり、後述するキャップ体２２は、この切込み１２４を設けることによって、横棒３０の上面に直接当接する。これによりキャップ体２２が横棒３０に接し、支柱２０と横棒３０を固定することになる。さらに、この切込み１２４を介して風が吹き抜けるので、のぼり１に作用する風の抵抗が減り、のぼり１の強度を向上させることができる。
【００１９】
支柱２０及び横棒３０は、棒状の支持体であって、これらがＴ字状に交差するとともに、支柱挿通部１１と重ね部１２において、のぼり生地１０を支持することにより、のぼり１を安定させ、のぼり１の表示態様を維持している。
支柱２０は、支柱挿通部１１の内部に垂直方向に挿通される。また、支柱２０は、支柱２０と別体となる取付部材２１とキャップ体２２を有している。
取付部材２１には、支柱２０に対して直角方向に横棒３０を貫通する貫通孔２１ａ、キャップ体２２の内部面に形成される雌ねじ２２ａがねじ込まれる雄ねじ２１ｂが形成されている。
横棒３０は、重ね部１２の内部に水平方向に挿通される。具体的には、横棒３０は支柱２０の貫通孔２１ａを貫通し、両端部が係止部１２２に係止される。これによって、横棒３０は支柱２０に対して直角に支持される。
【００２０】
次に、図５を参照して、支柱２０と横棒３０の取付け構造について説明する。なお、図５は、支柱２０及び横棒３０の断面を示している。
図５（ａ）に示すように、支柱２０に横棒３０を取り付ける場合、支柱２０の取付部材２１に形成された貫通孔２１ａに対して横棒３０を挿入する。この貫通孔２１ａは、横棒３０の寸法よりやや大きい径を有している。この挿入された状態で、キャップ体２２を雄ねじ２１ｂにねじ込むことによって、横棒３０を上方から締め付ける。そして、取付部材２１に形成される突起２１ｃを支柱２０の穴２０ａに差し込む。
このように、横棒３０が取付部材２１に対して挿通され、キャップ体２２による圧着によって、取付部材２１と横棒３０とが固定される。さらに、取付部材２１を支柱２０に差し込むことで、支柱２０と横棒３０とが取り付けられる。
【００２１】
また、図５（ｂ）に示すように、横棒３０を取り付ける部分を支柱２０の本体として、この支柱２０に貫通孔２１ａ及び雄ねじ２１ｂを形成し、貫通孔２１ａに横棒３０を差し込む形態としてもよい。この場合には、取付部材２１を設けず、横棒３０を支柱２０の本体に挿通し、キャップ体２２による圧着によって、支柱２０と横棒３０とを取り付ける。
なお、支柱２０と横棒３０の取付け構造は、上記に限らず、例えば、横棒３０に貫通孔を設け、この貫通孔に支柱２０を挿入することで、支柱２０と横棒３０とを取り付けてもよい。また、二本の横棒３０を、支柱２０内で固定又は係合させてもよい。
【００２２】
次に、図６を参照して、本実施形態に係るのぼり１の組み立ての一例について説明する。
なお、以下の説明においては、予めのぼり生地１０の周囲は、三つ折り縫製されて、矩形状に形成されており、支柱挿通部１１は、のぼり１の中央に垂直方向に縫製されて、形成されているものとする。
【００２３】
まず、頭部に取付部材２１が差し込まれた支柱２０を、支柱挿通部１１の内部に下端側から垂直方向に挿入し、切込み１２４から取付部材２１を突出させる。
次に、横棒３０を重ね部１２に挿入する。図６に示すように、重ね部１２の端部に形成された開口部１２１から横棒３０を挿入する。このとき、横棒３０を貫通孔２１ａに挿通する。
そして、係止部１２２近傍ののぼり生地１０を伸張させながら、横棒３０の両端部を、両係止部１２２、１２２の間に嵌め込む。これによって、横棒３０が、係止部１２２に係止され、のぼり生地１０に固定される。さらに、キャップ体２２を締め付ける。これにより、支柱２０と横棒３０とが固定される。なお、取付部材２１を上記した方法で横棒３０と固定し、次いで、この取付部材２１を支柱２０に差し込むことで、支柱２０と横棒３０を固定してもよい。
【００２４】
このように支柱２０と横棒３０とが取り付けられた状態で、図４に示したように、Ｌ字状に形成された係止部１２２の空間に、横棒３０の端部が係止されると、係止部１２２と横棒３０との間に、垂直方向及び水平方向に対する「あそび」がなくなる。
すなわち、横棒３０を開口部１２１から挿入し、貫通孔２１ａを介して横棒３０の端部を係止部１２２に係止する。その結果、横棒３０がのぼり１に対して水平方向及び垂直方向に固定される。このように支柱２０及び横棒３０がのぼり本体に固定されて、のぼり１が組み立てられる。
これによって、のぼり１は、図１に示すように、高さ方向が支柱２０で支持され、幅方向は横棒３０で支持されるため、のぼり生地１０が広げられた状態となり、のぼりとしての機能を発揮し、強風によって煽られてものぼりとしての機能を維持する。
【００２５】
以上説明したように、本実施形態に係るのぼり１によれば、のぼり生地１０に係止部１２２を設けるだけの構成によって、横棒３０がのぼり生地１０から抜け出ることなく、のぼりとしての機能を確実に発揮することができ、さらには、製造の手間や組み立て作業の煩雑さを軽減することができる。
【００２６】
次に、図７を参照して、第一実施形態の変形例を説明する。
図７は、本考案の第一実施形態に係るのぼりの係止部の他の形状を示す説明図であり、（ａ）は縦閉鎖部を一部のみ形成した例を示し、（ｂ）は横閉鎖部を一部のみ形成した例を示している。なお、第一実施形態と共通する部分の説明は省略する。
【００２７】
上記した第一実施形態では、縦閉鎖部１２２ａ及び横閉鎖部１２２ｂを連続させた状態の係止部１２２としたが、本変形例では、縦閉鎖部１２２ａと横閉鎖部１２２ｂの一部を省略し、縦閉鎖部１２２ａと横閉鎖部１２２ｂを部分的に形成した係止部１２２としてある。
具体的には、縦閉鎖部１２２ａは、横棒３０が係止部１２２から抜け出ない範囲で、開口部１２１の径方向に形成されるのであれば、その長さは任意である。例えば、図７（ａ）に示すように、図４に示した縦閉鎖部１２２ａの長さの半分としてもよい。
また、横閉鎖部１２２ｂは、横棒３０が係止部１２２から外れ落ちない範囲で形成されるのであれば、その長さは任意である。例えば、図７（ｂ）に示すように、図４に示した横閉鎖部１２２ｂの長さの半分としてもよい。なお、これらの組み合わせによって形成してもよい。
【００２８】
［第二実施形態］
次に、本考案に係るのぼりの第二実施形態について、図８を参照して説明する。
図８は、本考案の第二実施形態に係るのぼりの一部正面図を示す説明図である。
【００２９】
本実施形態は、第一実施形態と比較して、開口部１２１の一方の端部に、係止部１２２の横閉鎖部１２２ｂを設けない点で相違する。なお、本実施形態において、第一実施形態と同様の構成部分については同一の符号を付して、その詳細な説明を省略する。
【００３０】
図８に示すように、開口部１２１の一方の端部に、図４と同様の形状である係止部１２２（縦閉鎖部１２２ａ及び横閉鎖部１２２ｂ）を形成し、もう一方の端部には、開口部１２１の全体を縫製して塞ぐように縦閉鎖部１２２ａのみを形成する。すなわち、一方の端部でＬ字状の係止部１２２により横棒３０を係止し、もう一方の端部で縦閉鎖部１２２ａにより横棒３０を水平方向に係止する。その結果、横棒３０が、のぼり生地１０から抜け出してしまうことを防ぐことができる。なお、縦方向の縫製は、横棒３０が抜けない範囲で部分的に形成されてもよい。
本実施形態に係るのぼり１は、のぼりが強風によって煽られない室内用などに適している。
【００３１】
［第三実施形態］
次に、本考案に係るのぼりの第三実施形態について、図９を参照して説明する。
図９は、本考案の第三実施形態に係るのぼりの一部正面図を示す説明図である。
【００３２】
本実施形態は、第一実施形態と比較して、開口部１２１の一方の端部に、係止部１２２の横閉鎖部１２２ｂを設けない点で相違し、第二実施形態と比較して、係止部１２２と異なる手段によって横棒を固定する点で相違する。なお、本実施形態において、第一実施形態及び第二実施形態と同様の構成部分については同一の符号を付して、その詳細な説明を省略する。
【００３３】
図９に示すように、開口部１２１の一方の端部に、図４と同様の形状である係止部１２２（縦閉鎖部１２２ａ及び横閉鎖部１２２ｂ）を形成し、もう一方の端部には、横棒３０の寸法よりやや大きい寸法の縦閉鎖部１２２ａのみを形成する。これは、横棒３０のもう一方の端部を、縦閉鎖部１２２ａと縫い目１２３とによって固定するようになっている。すなわち、一方の端部でＬ字状の係止部１２２により横棒３０を係止し、もう一方の端部で縦閉鎖部１２２ａと縫い目１２３とによって横棒３０を固定する。その結果、横棒３０が、のぼり生地１０から抜け出してしまうことを防ぐことができる。
以上説明したように、本実施形態に係るのぼり１によれば、上記した第一実施形態及び第二実施形態とほぼ同様の効果を奏することができる。
【００３４】
以上、本考案ののぼりの好ましい実施形態について説明したが、本考案に係るのぼりは上記した実施形態にのみ限定されるものではなく、本考案の範囲で種々の変更実施が可能であることはいうまでもない。
【００３５】
例えば、上記した実施形態においては、布地からなるのぼり生地１０としたが、これに限るものではなく、例えば、のぼり生地１０は、合成樹脂製の生地（例えば、合成樹脂フィルム）であってもよい。この場合、係止部１２２の縦閉鎖部１２２ａ及び横閉鎖部１２２ｂは、例えば、熱溶着あるいは接着剤による接着で形成することができる。この実施形態によれば、のぼりが屋外で使用される場合には、耐水性及び耐熱性に優れるため、のぼり生地１０が破損し難く、長期間使用することができる
【００３６】
また、上記した実施形態においては、のぼり１の形状を矩形状としたが、これに限るものではなく、他の形状としてもよい。例えば、のぼり生地１０の下端部の短辺を、斜め直線状や斜め曲線状に裁断し、のぼり１の形状を縦長三角形状、縦長五角形状、放物線状等としてもよい。これによって、強風によって煽られはためく部分の面積が減少し、風の抵抗を緩和するため、のぼり１の転倒や回転を防げることができる。
【００３７】
また、上記した実施形態においては、のぼり１を「ダブルのぼり」としたが、これに限るものではなく、例えば、図１０に示すように、のぼり生地１０を支柱２０の片側に設けた「シングルのぼり」としてもよい。この場合、支柱２０と反対側の開口部１２１には、上記した係止部１２２を形成し、支柱２０側には、縦閉鎖部１２２ａのみを形成してあるが、これに限らず、上記した実施形態のものを適用してもよい。
【産業上の利用可能性】
【００３８】
本考案は、店舗、商品等の広告・宣伝などに用いられる種々ののぼりに適用可能であり、特に、表示態様を維持するための特殊な部材を必要としないのぼりに利用することができる。
【符号の説明】
【００３９】
１        のぼり
１０      のぼり生地
１１      支柱挿通部
１２      重ね部
１２１    開口部
１２２    係止部
１２２ａ  縦閉鎖部
１２２ｂ  横閉鎖部
２０      支柱
３０      横棒
【図１】
0003164423.tif 000003
【図２】
0003164423.tif 000004
【図３】
0003164423.tif 000005
【図４】
0003164423.tif 000006
【図５】
0003164423.tif 000007
【図６】
0003164423.tif 000008
【図７】
0003164423.tif 000009
【図８】
0003164423.tif 000010
【図９】
0003164423.tif 000011
【図１０】
0003164423.tif 000012